(57)【要約】【課題】通常の色材および消去可能色材を使用可能な画像形成装置の印刷設定画面の使用感を向上させる技術を提供すること。【解決手段】一般に、本実施形態のプログラムは、印刷時に使用する色を規定するカラーモードの設定項目と、印刷時に使用する色材を規定する色材モードの設定項目と、を含む印刷設定画面を表示することを端末に実行させるプログラムである。【選択図】  図４
2018176531.tif 000002
【特許請求の範囲】
【請求項１】
印刷時に使用する色を規定するカラーモードの設定項目と、印刷時に使用する色材を規定する色材モードの設定項目と、を含む印刷設定画面を表示することを端末に実行させるプログラム。
【請求項２】
請求項１に記載のプログラムにおいて、
前記色材モードの設定項目では、消去用では無い通常色材のみを使用する通常色材モードと、消去可能色材のみを使用する消去色材モードと、前記通常色材および前記消去可能色材を同時に使用可能な混合モードと、のいずれかの選択を受け付けることを前記端末に実行させるプログラム。
【請求項３】
請求項２に記載のプログラムにおいて、
前記カラーモードの設定項目では、１色のみを使用するモノクロモードに固定して設定し、
前記色材モードの設定項目では、前記１色の前記通常色材のみを使用する前記通常色材モードと、１色の前記消去可能色材のみを使用する前記消去可能色材モードと、前記混合モードと、のいずれかの選択を受け付けることを前記端末に実行させるプログラム。
【請求項４】
請求項３に記載のプログラムにおいて、
印刷対象のファイルのシートへの印刷状態を示すプレビュー画像であって前記色材モードに応じたプレビュー画像を表示することを前記端末に実行させるプログラム。
【請求項５】
請求項２から請求項４のいずれかに記載のプログラムにおいて、
前記色材モードの設定項目にて前記混合モードの選択を受け付ける場合には、印刷対象のファイル中のプレースホルダテキストを抽出し、前記プレースホルダテキストを前記消去可能色材で印刷する指定を印刷設定に含めることを前記端末に実行させるプログラム。
【発明の詳細な説明】
【技術分野】
【０００１】
この明細書に記載の実施形態は、通常の色材および消去可能色材を使用可能な画像形成装置の印刷設定画面に関する。
【背景技術】
【０００２】
従来、カラー機の画像形成装置用のプリンタドライバでは、印刷設定画面の設定項目としてカラーモードの設定項目を含む。カラーモードの設定項目では、全色の色材を使用可能なフルカラー印刷や、ブラックの色材のみを用いる白黒印刷等を選択できる。モノクロ機のカラーモードの設定項目では、ブラックの色材のみを用いるグレースケールにデフォルトで設定される。
【０００３】
ところで、画像形成装置において、上記のような通常の色材による印刷のほかに、加熱等により消去可能な消去可能色材を用いて印刷できるものが開発されている（例えば特許文献１）。
【先行技術文献】
【特許文献】
【０００４】
【特許文献１】特開２０１５−１６８０９３号公報
【発明の概要】
【発明が解決しようとする課題】
【０００５】
通常色材および消去可能色材を使用可能な画像形成装置に従来の印刷設定画面を適用する場合、消去可能色材の色が例えば青色である場合には、カラーモードの設定項目に「青単色（消去可能色材）」を加えることが考えられる。あるいは、カラーモードの設定項目に「消去」を加えることが考えられる。
【０００６】
印刷設定画面を上記構成にする場合、カラーモードの設定項目で消去可能色材の使用不使用を設定することとなり、ユーザによっては違和感があることが予想される。
【０００７】
この明細書は、通常の色材および消去可能色材を使用可能な画像形成装置の印刷設定画面の使用感を向上させる技術を提供することを目的とする。
【課題を解決するための手段】
【０００８】
一般に、本実施形態のプログラムは、印刷時に使用する色を規定するカラーモードの設定項目と、印刷時に使用する色材を規定する色材モードの設定項目と、を含む印刷設定画面を表示することを端末に実行させるプログラムである。
【図面の簡単な説明】
【０００９】
【図１】印刷システムの構成を示すブロック図である。
【図２】画像形成部の構成を示す図である。
【図３】スマートフォンによる印刷設定の受付処理を示すフローチャートである。
【図４】アプリケーションの印刷設定画面である。
【図５】トナーモードの選択画面を示す図である。
【図６】ブラック＆ブルーモードにおけるプレビュー画像の拡大画面を示す図である。
【図７】ブラック＆ブルーモードにおけるプレビュー画像の拡大画面を示す図である。
【図８】ＰＣによる印刷設定の受付処理を示すフローチャートである。
【図９】プリンタドライバによる印刷設定画面を示す図である。
【発明を実施するための形態】
【００１０】
以下、実施形態について図面を参照しつつ説明する。
図１は、印刷システム１００の構成を示すブロック図である。
印刷システム１００は、画像形成装置１と、ＰＣ２（端末）と、スマートフォン３（端末）と、を備える。各要素１〜３は、ネットワークを介して互いに接続する。各要素１〜３は、ネットワークにモデムを介して接続してもよい。各要素１〜３は、互いに有線または無線で直接接続してもよい。
【００１１】
画像形成装置１は、コピー、印刷、スキャン、ＦＡＸ、Ｅｍａｉｌ送信等の複数の機能を有するＭＦＰ(Multi-Function Peripheral)である。画像形成装置１は、画像形成部４、スキャナ１０、ディスプレイ１１、入力部１２、メモリ１３、コントローラ１４を備える。
【００１２】
図２は、画像形成部４の構成を示す図である。
画像形成部４は、消色トナー（消去可能色材）および非消色トナー（通常色材）を用いてシートに画像を形成する。画像形成部４は、感光体ドラム４１Ｅ，４１０Ｋ、現像器４２Ｅ，４２０Ｋ、中間転写ベルト４３、２次転写ローラ４４、定着器４５を備える。
【００１３】
ＬＥＤ(Light Emitting Diode)等の不図示の光源は、感光体ドラム４１Ｅ，４１０Ｋ上に静電潜像を形成する。現像器４２Ｅは、感光体ドラム４１Ｅ上の静電潜像を消色トナーを用いて現像する。
【００１４】
消色トナーは、呈色性化合物、顕色剤、消色剤を含む。呈色性化合物は、例えばブルーに発色するロイコ染料が挙げられる。顕色剤は、例えばフェノール類が挙げられる。消色剤は、加熱されると呈色性化合物と相溶し、顕色剤と親和性を有さない物質が挙げられる。消色トナーは、呈色性化合物と顕色剤との相互作用により発色し、消色温度以上の加熱により呈色性化合物と顕色剤との相互作用が絶たれて消色する。
【００１５】
「消色」とは、シートの下地の色とは異なる色（有彩色のみならず白色および黒色等の無彩色を含む）で形成された画像を視覚的に見えなくすること若しくは視覚的に見えにくくすることを意味する。「視覚的に見えなくする」とは、シートの下地の色とは異なる色で形成された画像が無色化（透明）する形態以外に、シートの下地の色とは異なる色で形成された画像をシートの下地の色と同一または近似する色に変色させることを意味する。
【００１６】
消色処理とは、消色トナーを用いて画像が形成されたシートを、消色トナーの部分が消色する消色温度以上で加熱し、消色トナーによる画像部分を消色させる処理を指す。
【００１７】
現像器４２０Ｋは、感光体ドラム４１０Ｋ上の静電潜像を非消色トナーを用いて現像する。非消色トナーは、シートが消色処理をされた際に発色を維持するトナーであり、本実施形態では、ブラック（Ｋ）のトナーである。非消色トナーは、消色を目的としない通常の色材であり、例えば顕色剤や消色剤を含まないトナーである。非消色トナーは、樹脂のほか、呈色剤としてカーボンを含むものであってもよい。
【００１８】
感光体ドラム４１Ｅ，４１０Ｋは、中間転写ベルト４３に画像を転写する。画像形成装置１が非消色トナーおよび消色トナーを共に用いて画像を形成する場合には、感光体ドラム４１０Ｋは、感光体ドラム４１Ｅによる消色トナーの画像上に、非消色トナーの画像を重ねる。これにより、ブッラクおよびブルーのトナーによる１枚の画像が中間転写ベルト４３上に形成される。
【００１９】
画像形成装置１が非消色トナーのみを用いて画像を形成する場合には、感光体ドラム４１０Ｋによる非消色トナーの画像上には、感光体ドラム４１Ｅによる消色トナーの画像は重ねられない。画像形成装置１が消色トナーのみを用いて画像を形成する場合には、感光体ドラム４１Ｅによる消色トナーの画像上には、感光体ドラム４１０Ｋによる非消色トナーの画像は重ねられない。
【００２０】
画像形成装置１は、不図示のカセットからシートを取り出して、シートを中間転写ベルト４３と２次転写ローラ４４との間の二次転写位置Ｕまで送る。画像形成装置１は、中間転写ベルト４３上のトナー像をシートに転写する。画像形成装置１は、シートを定着器４５に送り、定着器４５によりシートを加熱押圧し、シートにトナー像を定着させる。
【００２１】
図１に戻り、画像形成装置１のスキャナ１０は、撮像素子によりシート上の画像を読み取り、画像データを生成する。画像形成装置１は、画像データをメモリ１３に保存したり、シートに印刷したり、ＦＡＸ送信やＥｍａｉｌ送信したりできる。
【００２２】
ディスプレイ１１は、タッチパネル等であり、画像形成装置１の設定情報や動作ステータス、ログ情報、ユーザへの通知を表示する。入力部１２は、ボタンやキー、タッチパネルである。入力部１２は、ユーザの入力を受け付け、印刷指示等の画像形成装置１の機能動作の指示や、設定の入力を受け付ける。
【００２３】
メモリ１３は、各種のプログラムや設定情報を記憶する。コントローラ１４は、画像形成装置１全体を制御する。コントローラ１４は、メモリ１３内のプログラムを読み込んで各種の処理を行う。
【００２４】
ＰＣ２は、画像形成装置１へ印刷ジョブを送信できる。ＰＣ２は、ディスプレイ２１、入力部２２、メモリ２３、コントローラ２４を備える。ディスプレイ２１は、タッチパネル等であり、印刷ジョブの設定画面等を表示する。入力部２２は、ボタンやキー、タッチパネルであり、ユーザの入力を受け付ける。
【００２５】
メモリ２３は、ＯＳ２３１(Operating System)、アプリケーション２３２、画像形成装置１に固有のプリンタドライバ２３３等を記憶する。
【００２６】
コントローラ２４は、ＰＣ２全体を制御しており、メモリ２３からプログラム２３１〜２３３等を読み込むことにより種々の機能を実現する。
【００２７】
スマートフォン３は、アプリケーション３３２を起動することにより画像形成装置１へ印刷指示を送信できる。スマートフォン３は、アプリケーション３３２を起動し、ファイルの印刷設定を受け付ける。スマートフォン３は、ファイルおよび印刷設定をクラウド（不図示のサーバ群）またはＰＣ２に送信する。クラウドまたはＰＣ２は、ファイルおよび印刷設定に基づいて印刷ジョブを生成し、印刷ジョブを画像形成装置１に送信する。スマートフォン３は、クラウドにあるファイルの印刷設定を受け付け、クラウドに印刷設定のみを送信してもよい。この場合、スマートフォン３は、後述する印刷設定の受付時に印刷対象のクラウドからファイルを取得し、プレビュー画面等を表示してもよい。
【００２８】
なお、スマートフォン３がプリンタドライバを有し、印刷ジョブを直接生成してもよい。また、スマートフォン３がファイルおよび印刷設定を直接画像形成装置１に送信してもよい。そして、画像形成装置１がファイルおよび印刷設定に基づいて印刷ジョブを生成し、印刷ジョブを実行してもよい。
【００２９】
スマートフォン３は、ディスプレイ３１、入力部３２、メモリ３３、コントローラ３４を備える。ディスプレイ３１は、タッチパネル等であり、印刷設定画面等を表示する。入力部３２は、タッチパネルであり、ユーザの入力を受け付ける。
【００３０】
メモリ３３は、ＯＳ３３１、印刷を行うためのアプリケーション３３２等を記憶する。
コントローラ３４は、スマートフォン３全体を制御しており、メモリ３３からプログラム３３１、３３２等を読み込むことにより種々の機能を実現する。
【００３１】
以下、スマートフォン３による印刷設定の受付処理を図３のフローチャートを参照して説明する。
スマートフォン３（のコントローラ３４）は、アプリケーション３３２を起動し（Ａｃｔ１１）、印刷対象のファイルの選択を受け付ける画面をディスプレイ３１に表示する。スマートフォン３は、印刷対象のファイルの選択を受け付ける（Ａｃｔ１２）。ファイルとして、ドキュメントや写真を選択できる。また、アプリケーション３３２を介してwebページを開くことで、スマートフォン３は、印刷対象のファイルとしてwebページの選択を受け付けてもよい。
【００３２】
図４は、アプリケーション３３２の印刷設定画面５を示す。
スマートフォン３は、印刷対象のファイルの印刷設定画面５を表示する（Ａｃｔ１３）。ここでは、印刷対象のファイルとしてドキュメントが選択された場合を説明する。
【００３３】
印刷設定画面５は、１画面内に設定項目５１〜５５、プレビュー領域５６、プリントボタン５７を含む。設定項目５１〜５５では、左右方向に長い矩形のラベル内の左側に設定項目名５１１〜５５１が表示され、ラベル内の右側にパラメータ５１２〜５５２（設定値あるいは設定名）が表示される。
【００３４】
設定項目５１では、設定項目名５１１は部数であり、部数を設定できる。
設定項目５２では、設定項目名５２１はジョブタイプであり、ジョブタイプを設定できる。設定項目５２では、ジョブタイプとして、画像形成装置１が印刷ジョブを受け取り次第、印刷を行う通常印刷や、画像形成装置１がユーザによる印刷ジョブの実行指示を受け付けてから印刷を行うホールド印刷を設定できる。
【００３５】
設定項目５３では、設定項目名５３１は両面であり、両面印刷するか否かを設定できる。
設定項目５４では、設定項目名５４１はカラーモードであり、印刷時に使用する非消色トナーの色を規定するカラーモードを設定できる。
【００３６】
画像形成装置１は、非消色トナーとしてブラックの１色のみを使用するモノクロ機である。そのため、スマートフォン３は、カラーモードの設定項目５４を、ブラックのみを使用するグレースケールモード（１色のみを使用するモノクロモード）に固定して設定する。
【００３７】
設定項目５５では、設定項目名５５１はトナーモードであり、印刷時に使用するトナーを規定するトナーモード（色材を規定する色材モード）を設定できる。
【００３８】
図５は、トナーモードの選択画面５Ａを示す図である。
スマートフォン３は、トナーモードの設定項目５５の領域がタッチされると、図５のトナーモードの選択画面５Ａを表示する。選択画面５Ａは、ブラックの非消色トナーのみを使用するブラックモード（通常色材モード）のラベル５５２Ａと、ブルーの消色トナーのみを使用するブルーモード（消去色材モード）のラベル５５２Ｂと、ブラックの非消色トナーおよびブルーの消色トナーを同時に使用可能なブラック＆ブルーモード（混合モード）のラベル５５２Ｃを表示する。
【００３９】
スマートフォン３は、ラベル５５２Ａ〜５５２Ｃがタッチされることで該ラベル５５２Ａ〜５５２Ｃにチェックマークを表示し（ラベル５５２Ａ参照）、該ラベル５５２Ａ〜５５２Ｃのトナーモードの選択を受け付ける。スマートフォン３は、選択画面５Ａにて、いずれかのモードの選択を受け付けると、図４の印刷設定画面５を再度表示する。
【００４０】
スマートフォン３は、このようにして印刷設定画面５にて設定項目５１〜５５の設定を受け付ける（Ａｃｔ１４）。
【００４１】
この際、スマートフォン３は、プレビュー領域５６にて、印刷対象のファイルのプレビュー画像を表示する（Ａｃｔ１５）。プレビュー領域５６は、設定項目５１〜５５の下方にある。プレビュー画像は、印刷対象のファイルのシートへの印刷状態を示す。
【００４２】
図６は、ブラック＆ブルーモードにおけるプレビュー画像の拡大画面６を示す図である。
スマートフォン３は、図４の印刷設定画面５中のプレビュー画像がタッチされると、図６に示すように、プレビュー画像の拡大画面６を表示する。スマートフォン３は、印刷設定画面５および拡大画面６にて、トナーモードに応じたプレビュー画像を表示する。
【００４３】
スマートフォン３は、トナーモードがブラックモードの場合、印刷対象のファイルをブラックの非消色トナーのみで印刷した場合のプレビュー画像を表示する。スマートフォン３は、トナーモードがブルーモードの場合、印刷対象のファイルをブルーの消色トナーのみで印刷した場合のプレビュー画像を表示する。
【００４４】
スマートフォン３は、トナーモードがブラック＆ブルーモードの場合、図６に示すように、印刷対象のファイルをブラックの非消色トナーおよびブルーの消色トナーで印刷した場合のプレビュー画像を表示する。図６において、１点鎖線内のテキストは、ブルーに表示される。
【００４５】
ここで、印刷対象のファイルは、ドキュメントであり、申請書類に対する補足資料であるものとする。補足資料は、会社や役所等へ申請書類を請求する際に、申請書類の参照のために配布される。補足資料では、記入例が赤色で記されているものとする。従来、このような補足資料は、印刷コストの増加を招くという問題や、申請者が補足資料と申請書類を交互に参照しなければならず、申請書類の記入に不便であるという問題があった。
【００４６】
本実施形態では、スマートフォン３は、ブラック＆ブルーモードに設定される場合、補足資料のファイルにおいて、ブラックのテキストをブラックの非消色トナーによる印刷領域として指定する。また、スマートフォン３は、赤色のテキストをブルーの消色トナーによる印刷領域として指定する。
【００４７】
これにより、本実施形態では、補足資料のファイルが上記設定で印刷されることで、シート上にそのまま記入できる。そして、記入済みのシートを申請者が消色処理することで、記入例のテキスト部分を消すことができるので、該シートを申請書類として利用できる。なお、該シートの受理側が該シートを消色処理してもよい。
【００４８】
このように、本実施形態では、補足資料を申請書類として利用できるようになるので、印刷コストを低減できる。また、本実施形態では、申請者が補足資料と申請書類を交互に参照する作業を不要にできるので、申請書類の記入が容易になる。
【００４９】
なお、ブルーの消色トナーによる印刷領域の指定の仕方は、様々な方法を適用できる。例えば、図４，５では、印刷対象のファイルがドキュメントであるので、テキストのフォントカラー情報に基づき、テキストをブラックと、ブラック以外に区分けできる。そして、ブラックに区分けしたテキストのフォントカラー情報をそのままブラックに指定できる。また、ブラック以外に区分けしたテキストのフォントカラー情報を、ブルーの消色トナーに指定できる。
【００５０】
これにより、該ドキュメントおよび該フォントカラー情報の指定を含む印刷設定を受信した画像形成装置１は、フォントカラー情報がブルーの消色トナーとなっているテキストをブルーの消色トナーにて印刷できる。
【００５１】
ブルーの消色トナーによる印刷領域の指定の他の方法としては、印刷対象のファイルの画像における各素子を、カラー情報がブラックであるものと、ブラックでないものとに区分けできる。そして、ブラックに区分けした素子をブラックの印刷領域に指定し、ブラック以外に区分けした素子をブルーの印刷領域に指定できる。
【００５２】
複数色を有する画像データを２色印刷する従来技術を適用して、ブルーの消色トナーの印刷領域を決定できる。その他、カラー情報が所定の色の画素、例えば赤色の画素をブルーの消色トナーの印刷領域に指定してもよい。
【００５３】
図７は、ブラック＆ブルーモードにおけるプレビュー画像の拡大画面６Ａを示す図である。図７は、ｗｅｂページの印刷設定時の拡大画面６Ａを示す。図７では、ｗｅｂページにてプレースホルダテキストであったテキストを一点鎖線で囲んで示している。
【００５４】
ｗｅｂページやモバイルアプリが提供する表示画面では、入力フィールド（テキストボックスやテキストエリア）にプレースホルダテキストが表示されることが一般的になっている。プレースホルダテキストは、入力に関するヒントや入力例を表示する。ｗｅｂページやモバイルアプリが提供する表示画面にて入力フィールドに情報が入力されると、プレースホルダテキストは自動的に消される。
【００５５】
そこで、申請書類をｗｅｂページ（やモバイルアプリが提供する表示画面）で提供することが行われる。申請者は、ｗｅｂページ上にて、入力フィールド中のプレースホルダテキストを参照して、入力フィールドに必要事項を入力できる。入力後はプレースホルダテキストは消されるので、入力済みのｗｅｂページを印刷することで、印刷シートを申請書類として利用できる。
【００５６】
しかし、ＰＣやモバイル端末の操作が苦手な申請者は、ｗｅｂページで提供される申請書類を未記入のまま印刷し、印刷シートに手書きで必要事項を記入したい。しかし、この場合、印刷した申請書類にプレースホルダテキストが表示されてしまうので、正式な書類として受理されないという問題がある。
【００５７】
この問題を解決するために、プレースホルダテキストが組み込まれた申請書類を補足資料とし、プレースホルダテキストが組み込まれていない申請書類を正式な申請書類としてｗｅｂページにより提供することが考えられる。この場合、既に述べたコスト増大という問題や、申請者が補足資料と申請書類を交互に参照する必要が生じ、申請書類の記入に不便という問題が生じる。
【００５８】
そこで、スマートフォン３は、トナーモードがブラック＆ブルーモードの場合、ｗｅｂページのＨＴＭＬ(HyperText Markup Language)ファイルを解析し、プレースホルダテキストを認識する。スマートフォン３は、プレースホルダテキストをブルーの消色トナーの印刷領域に指定する。
【００５９】
これにより、本実施形態では、ｗｅｂページで提供する申請書類を未記入のまま印刷し、該シートに手入力で必要事項を記入しても、該シートを申請者または受理者が消色処理することで、プレースホルダテキストを消すことができる。そのため、ＰＣやモバイル端末の操作が苦手な申請者も、プレースホルダテキストを組み込んだｗｅｂページにより申請書類を作成できるようになる。
【００６０】
なお、スマートフォン３は、トナーモードがブラック＆ブルーモードの場合、印刷対象のファイル中の設定範囲や設定文字、設定図形をブルーの消色トナーの印刷領域と指定してもよい。スマートフォン３は、印刷対象のファイルがドキュメントでなく画像の場合、画像をＯＣＲ(Optical Character Recognition)し、設定文字を判定してもよい。そして、スマートフォン３は、これら判定した領域や文字図形等をブルーの消色トナーの印刷領域と指定してもよい。このようにすることで、スマートフォン３は、印刷対象のファイル中の記入例や補足説明、プレースホルダテキスト等を判定し、該判定対象をブルーの消色トナーの印刷領域に指定できる。
【００６１】
スマートフォン３は、印刷対象のファイルおよび印刷設定をクラウド等に送信する（Ａｃｔ１６）。印刷設定は、ブラックの非消色トナーの印刷領域の指定、およびブルーの消色トナーの印刷領域の指定を含む。印刷設定は、その他、画像形成装置１のアドレスや、印刷ジョブの生成に必要な情報が含まれる。
【００６２】
クラウド等は、印刷対象のファイルおよび印刷設定に基づいて印刷ジョブを生成し、画像形成装置１に送信する。画像形成装置１は、印刷ジョブを実行し、印刷対象のファイルを印刷する。
【００６３】
以下、ＰＣ２による印刷設定の受付処理を図８のフローチャートを参照して説明する。本処理は、スマートフォン３による図３の処理とほぼ同じであり、本処理では最終的に印刷ジョブを生成する点が図３の処理と異なる。
ＰＣ２（のコントローラ２４）は、アプリケーション２３２を起動し（Ａｃｔ２１）、ドキュメント等のファイルを表示する。
【００６４】
図９は、プリンタドライバ２３３による印刷設定画面７を示す図である。
アプリケーション２３２の印刷設定画面にて印刷に用いる画像形成装置１がユーザに選択され、次いでプロパティボタンがユーザに選択される。ＰＣ２は、図９に示すように、画像形成装置１に固有のプリンタドライバ２３３の印刷設定画面７を表示する（Ａｃｔ２２）。
【００６５】
印刷設定画面７は、原稿サイズの設定項目７１や部数の設定項目７２のほか、スマートフォン３による印刷設定画面５と同様、カラーモードの設定項目７３およびトナーモードの設定項目７４を含む。
【００６６】
カラーモードの設定項目７３では、設定項目名としてカラーモードが表記され、印刷時に使用する非消色トナーの色を規定するカラーモードを設定できる。画像形成装置１が非消色トナーとしてブラックの１色のみを使用するモノクロ機であるので、カラーモードは、グレースケールモードに固定して設定される。
【００６７】
トナーモードの設定項目７４では、設定項目名としてトナーモードが表記され、印刷時に使用するトナーを規定するトナーモードを設定できる。ＰＣ２は、トナーモードの設定項目７４におけるトナーモード名が表示される領域がクリックされると、ブラックモード、ブルーモード、ブラック＆ブルーモードの項目７４１〜７４３をドロップダウンリストにより表示する。ＰＣ２は、項目７４１〜７４３が選択されると、該項目７４１〜７４３に対応するトナーモードに設定する。
【００６８】
ＰＣ２は、以上のようにして印刷設定画面７にてカラーモードおよびトナーモード等の印刷設定を受け付ける（Ａｃｔ２３）。
【００６９】
ＰＣ２は、図９のトナーモードのドロップダウンリストの後方にあるＯＫボタン７５がユーザに選択されると、プリンタドライバ２３３の印刷設定画面７を閉じる。
【００７０】
ＰＣ２は、スマートフォン３におけるプレビュー画面の表示方法と同様にして、アプリケーション２３２の印刷設定画面内で印刷対象のファイルのプレビュー画面を表示する。この際、ＰＣ２は、受け付けたトナーモード等の印刷設定に基づいてプレビュー画面を表示する（Ａｃｔ２４）。
【００７１】
ＰＣ２は、アプリケーション２３２の印刷設定画面にてＯＫボタンがユーザに選択されると、プリンタドライバ２３３の印刷設定画面７およびアプリケーション２３２の印刷設定画面にて受け付けた印刷設定と、印刷対象のファイルに基づいて印刷ジョブを生成する。ＰＣ２は、印刷ジョブを画像形成装置１に送信する（Ａｃｔ２５）。画像形成装置１は、印刷ジョブに基づいて印刷対象のファイルを印刷する。
【００７２】
（変形例）
前記実施形態では、画像形成装置１は、非消色トナーをブラックの１色のみ使用したが、非消色トナーとしてＹＭＣＫ等の複数色を使用してもよい。
この場合、カラーモードの設定項目５４、７３では、印刷画像における非消色トナーの色を規定するカラーモードが選択できてもよい。カラーモードの設定項目５４、７３では、従来と同様、自動カラー選択モードやフルカラーモード、白黒モード、二色モードが選択できてもよい。
【００７３】
また、この場合、トナーモードの設定項目５５、７４では、カラーモード、ブルーモード、カラー＆ブルーモードが選択できてもよい。カラーモードは、非消色トナーのみを使用するモードであり、ブルーモードは消色トナーのみを使用するモードである。カラー＆ブルーモードは、消色トナーおよび非消色トナーを共に使用できるモードである。
【００７４】
カラー＆ブルーモードに設定される場合において印刷対象のファイルがドキュメントである場合を考える。この場合、ＰＣ２およびスマートフォン３は、前記実施形態と同様、フォントカラー情報が予め定められた例えば赤色であるテキストを判定し、該テキストのフォントカラー情報を非消色トナーによるブルーに指定できる。
【００７５】
カラー＆ブルーモードに設定される場合において、印刷対象のファイルがwebファイルの場合、前記実施形態と同様、プレースホルダテキストをブルーの非消色トナーによる印刷領域に指定したり、プレースホルダテキストのフォントカラー情報を非消色トナーによるブルーに指定できる。
【００７６】
前記実施形態では、画像形成装置１は、消色トナーをブルーの１色のみ使用したが、ＹＭＣＫ等の複数色を使用してもよい。カラー＆ブルーモードに設定された場合において印刷対象のファイルがドキュメントである場合を考える。この場合、ＰＣ２およびスマートフォン３は、上記変形例と同様、フォントカラー情報が予め定められた例えば赤色であるテキストを判定し、該テキストのフォントカラー情報を非消色トナーの赤色に指定したり、予め定められた非消色トナーのブルー等に指定できる。
【００７７】
カラー＆ブルーモードに設定された場合において、印刷対象のファイルがwebファイルの場合も、ＰＣ２およびスマートフォン３は、プレースホルダテキストのフォントカラー情報を、該プレースホルダテキストのフォントカラー情報の色と同じ非消色トナーの色に指定したり、予め定められた非消色トナーのブルー等に指定したりできる。
【００７８】
前記実施形態では、非消色トナーと消色トナーとが異なる色であったが、同一の色であってもよい。
【００７９】
前記実施形態では、色材としてトナーを用いたが、インク等を用いてもよい。すなわち、画像形成装置１の印刷方式は、電子転写方式でなく、インクジェット方式であってもよい。
【００８０】
前記実施形態では、消去可能色材は、加熱により消色するものであったが、光を照射されることにより消色するものであってもよい。消去可能色材は、シートからブレード等により除去されるのに適したトナーやインクであってもよい。
【００８１】
シート（記録媒体）は、用紙、封筒、transparency等であってもよい。
画像形成装置１が、ＰＣ２の印刷設定の受付処理やスマートフォン３による印刷設定の受付処理と同様の印刷設定の受付処理を行ってもよい。
【００８２】
以上に詳述したように、この明細書に記載の技術によれば、通常の色材および消去可能色材を使用可能な画像形成装置の印刷設定画面の使用感を向上させる技術を提供できる。
【符号の説明】
【００８３】
１…画像形成装置、２…ＰＣ（端末）、３…スマートフォン（端末）、５、７…印刷設定画面、５４，７３…カラーモードの設定項目、５５，７４…トナーモードの設定項目（色材モードの設定項目）。
【図１】
2018176531.tif 000003
【図２】
2018176531.tif 000004
【図３】
2018176531.tif 000005
【図４】
2018176531.tif 000006
【図５】
2018176531.tif 000007
【図６】
2018176531.tif 000008
【図７】
2018176531.tif 000009
【図８】
2018176531.tif 000010
【図９】
2018176531.tif 000011